(57)【要約】【課題】街の景観を害することなく、また、単調な装飾とならないような屋内及び屋外において多目的に使用可能な支柱用カバー式テーブルを提供することを目的とする。【解決手段】二つの部材を合わせてなる筒状の支柱用カバー本体と、その支柱用カバー本体の上部に備えるテーブルとからなり、該テーブル上に様々なディスプレイを置くことが可能な構成を採る。【選択図】図１
0003103828.tif 000002
【実用新案登録請求の範囲】
【請求項１】
二つの部材を合わせてなる筒状の支柱用カバー本体と、その支柱用カバー本体の上部に備えるテーブルとからなる支柱用カバー式テーブル。
【請求項２】
前記支柱用カバー本体の下部に脚部を備えたこと特徴とする請求項１に記載の支柱用カバー式テーブル。
【請求項３】
前記脚部が高さ調節機能を有することを特徴とする請求項２に記載の支柱用カバー式テーブル。
【考案の詳細な説明】
【技術分野】
【０００１】
本考案は、電柱やポール、柱等に取り付けられる支柱用カバーに関するものである。
【背景技術】
【０００２】
従来より、電柱等の存在を知らしめ注意を促すべく、支柱用のカバー部材が考案されている。かかるカバー部材は、表面に注意を喚起する模様が描かれ、締結ベルト等により支柱に取付けられるようになっている。
【０００３】
また、電柱等を装飾するための支柱用のカバー部材も、従来より考案されている。かかるカバー部材は、表面に装飾用の模様が描かれているものや、装飾部材が付されているもの等があり、上記同様、締結ベルト等により支柱に取り付けられるようになっている。
【考案の開示】
【考案が解決しようとする課題】
【０００４】
上記注意を促すための支柱用カバー部材は、それが電柱やポール等に取り付けられた場合、その用途からくる模様により、街の景観を害するといった問題があった。
【０００５】
また、上記装飾用カバー部材は、その用途から街の景観は害さないものの、一度電柱等に取り付けられると、常に同一模様を奏することとなって単調であり、さらには、風雨にさらされることにより、カバー部材自体が汚れ、かえって街の景観を害することにもなりかねない。
【０００６】
上記問題点に鑑み、本考案は、街の景観を害することなく、また、単調な装飾とならずに屋内及び屋外で多目的に使用可能な支柱用カバーを提供することを目的とする。
【課題を解決するための手段】
【０００７】
前記目的を達成するため、本考案は、二つの部材を合わせてなる筒状の支柱用カバー本体と、その支柱用カバー本体の上部に備えるテーブルとからなる構成を採っている。
【０００８】
また、本考案は、前記支柱用カバー本体の下部に脚部を備えた構成とすることもできる。
【０００９】
さらに、本考案は、前記脚部が高さ調節機能を有する構成を採用することもできる。
【考案の効果】
【００１０】
本考案にかかる支柱用カバー式テーブルは、屋内及び屋外の支柱に対して共用型であって、設置場所等により目的に合わせて多種多様の使用形態を見出すことが可能となる。
【００１１】
本考案にかかる支柱用カバー式テーブルを電柱等の屋外の支柱に使用した場合には、テーブル上に載せられるディスプレイ如何によって、様々な街の雰囲気を奏するように装飾することが可能となる。
【００１２】
また、テーブル上に載せられたディスプレイを交換することにより、容易に雰囲気を変更することが可能となり、ディスプレイが風雨にさらされ汚れた場合にも、新たなディスプレイに交換することで、街の景観を害することがなくなる。
【００１３】
さらに、本考案にかかる支柱用カバー式テーブルを屋内の柱等に使用した場合には、部屋の雰囲気を装飾する台となり、屋外同様ディスプレイの変更により、様々な雰囲気を奏するような装飾が可能であるといった効果もある。
【考案を実施するための最良の形態】
【００１４】
以下、本考案にかかる支柱用カバー式テーブルを図面に基づいて説明する。
【００１５】
図１は、本考案にかかる支柱用カバー式テーブルの実施形態を示す斜視図である。支柱用カバー本体１は、二つの部材から構成される。それら二つの部材を合わせて止め具４により固定し、一体となって筒状の支柱用カバー本体１を構成する。止め具４による固定手段については特に限定はなく、差込み式に固定したり、ボルトとナットにより固定する等、様々な固定手段が考えられる。
【００１６】
尚、図面においては、支柱用カバー本体１の形状を円筒状に示しているが、これに限定されるものではなく、筒状であれば多角形筒状であってもよい。
【００１７】
支柱用カバー本体１の上部には、テーブル２が備えられており、該テーブル２は止め具５により支柱用カバー本体１に固定される。その際の止め具５による固定手段については、上記同様特に限定はなく、差込み式に固定したり、ボルトとナットにより固定する等、様々な固定手段が考えられる。また、テーブル２についても支柱用カバー本体１と同様、二つの部材から構成されている。二つの部材からなるテーブル２が合わさった際の該テーブル２の中心部分には、支柱が貫通するための支柱貫通孔Ｈが成型されている。
【００１８】
尚、図面においては、テーブル２の形状を円盤状に成型しているが、これに限定されるものではなく、平板であれば多角形状であってもよい。また、図面においてテーブル２の外周が支柱用カバー本体１より大きい形状に示してあるが、これに限定されるものではない。さらに、支柱貫通孔Ｈの形状についても、図面では円形状に成型しているが、設置される支柱の外周形状に合わせて円形状や多角形状に成型することができる。
【００１９】
また、支柱に対して本考案にかかる支柱用カバー式テーブルを固定すべく、テーブル２には支柱固定具２ｃを設けることが望ましい。支柱の径より支柱貫通孔Ｈの径が大きいような場合に、テーブル２と支柱との間に隙間が生じて支柱用カバー式テーブルは固定されず、がたつきが発生して不安定な状態となるが、該支柱固定具２ｃを設けることにより、支柱用カバー式テーブルを着実に支柱に固定することが可能となる。
【００２０】
支柱固定具２ｃは、スライド式となっており、テーブル２に設けられた一の止め具５を利用して、該止め具５を緩めることによりスライド可能な状態となり、逆に止め具５を締めつけることで支柱固定具２ｃは所定の位置において固定されるような構成となっている。
【００２１】
本考案にかかる支柱用カバー式テーブルの材質については特に限定はなく、ステンレスやアルミニウム等の金属により製造したり、あるいは、プラスチックや合成樹脂等により製造することも可能であって、該支柱用カバー式テーブルを設置する場所の雰囲気に合わせて、材質を選択すればよい。
【００２２】
本考案にかかる支柱用カバー本体１の上部に備えられたテーブル２上には、装飾のためのディスプレイ等の物品が置かれることとなるが、その物品が容易に落下しないよう、図においては落下防止柵３が設けられている。テーブル２上に置かれる物品によっては落下防止柵３を設けない方がよいものも考えられるが、通常の場合は、図に示す通り落下防止柵３を設けることが望ましい。
【００２３】
また、図面において、支柱用カバー本体１の下部には脚部６が設けられているが、これは路面や床等の設置面の状況に合わせて、本考案にかかる支柱用カバー式テーブルを安定して設置するためのものである。尚、脚部６に高さ調節機能を付与することで、設置場所において路面や床等の設置面が傾斜するような場合にも対応が可能となる。
【００２４】
図２は、本考案にかかる支柱用カバー式テーブルを設置させる前段階を示す分解斜視図である。支柱用カバー本体１は、一の支柱用カバー本体１ａと他の支柱用カバー本体１ｂの二つの部材から構成され、それぞれの上部に一のテーブル２ａ及び他のテーブル２ｂが備えられている。すなわち、二つの部材からなる支柱用カバー本体１を合わせて一体とすれば、二つの部材からなるテーブル２も同時に一体とされる。
【００２５】
図３は、本考案にかかる支柱用カバー式テーブルにおける各要素を取付ける構成を示す分解斜視図である。支柱用カバー本体１の上端には、テーブル２を取付けるための取付板１ｃが設けられている。支柱用カバー本体１にテーブル２を取付ける場合、該テーブル２は取付板１ｃ上に載せられるが、その際、テーブル２に設けられた止め具挿入孔５ａと取付板１ｃに設けられた止め具挿入孔５ｂとの位置を合わせることにより、支柱用カバー本体１とテーブル２とをズレを生じさせずに取付け一体化することができる。その際の固定方法については特に限定はなく、差込み式に固定したり、ボルトとナットにより固定する等、様々な固定手段が考えられる。
【００２６】
また、支柱用カバー本体１の下端には、脚部６を取付けるための取付板１ｄが設けられている。支柱用カバー本体１に脚部６を取付ける際は、取付板１ｄに設けられた脚部取付孔６ａに該脚部６が取付け固定される。かかる固定手段については特に限定はなく、例えば、脚部６の軸部をネジ状に成型し脚部取付孔６ａをネジ受け状に成型することによる固定手段等が考えられる。かかる固定手段を採用する場合には、脚部６を支柱用カバー本体１に取付けることが容易となり、さらには、各脚部６の高さを自由に調節することでき、設置場所における路面や床等の設置面の状況に容易に対応することが可能となる。
【００２７】
図４は、本考案にかかる支柱用カバー式テーブルを実際に円柱状の支柱Ｐに設置した状態を示す説明図である。上記構成を採る支柱用カバー式テーブルを支柱Ｐに設置すると、図面に示すような状態となり、テーブル２上にはディスプレイＤが載せられる。設置する場所や季節等に合わせ、ディスプレイＤを交換・変更することにより、様々な雰囲気を奏する景観を楽しむことができる。図面においては、ディスプレイＤとして植木鉢を載せた場合を示しているが、この場合、季節に合わせて花を交換したり、あるいは、花が枯れれば交換することによって、常に綺麗な景観を保つことが可能となる。
【００２８】
図５は、本考案にかかる支柱用カバー式テーブルを実際に支柱Ｐに設置した状態における部分断面図である。図面に示す通り、支柱用カバー本体１の外周と支柱Ｐとの間には空間スペースが設けられている。これは、支柱用カバー本体１にテーブル２を取付けるための取付板１ｃ及び脚部６を取付けるための取付板１ｄを設けたことによりできた空間スペースである。
【００２９】
また、脚部６については、支柱用カバー式テーブルが支柱Ｐに対して正確にかつ安定して設置できるように設けられたものである。図面では、支柱Ｐが路面や床等の設置面Ｆに対してほぼ垂直に直立している状態であって、支柱用カバー本体１と脚部６の先端との間隔が各脚部６ともほぼ同一である場合を示しているが、該設置面Ｆの状況により傾斜等に対しても対応が可能であるように、支柱用カバー本体１と各脚部６の先端との間隔を変更させて高さを調節することができる機能を脚部６に備えることが望ましい。
【００３０】
尚、テーブル２と支柱Ｐとの間に隙間が生じてしまった場合には、テーブル２に設けられた支柱固定具２ｃを支柱Ｐ方向へスライドさせて、支柱固定具２ｃの先端が支柱Ｐに当接した状態の位置において該支柱固定具２ｃを固定することにより、支柱用カバー式テーブルは着実に支柱Ｐに固定され、がたつきの発生を防止することができる。
【００３１】
図６は、本考案にかかる支柱用カバー式テーブルを実際に四角柱状の支柱Ｐに設置した状態を示す説明図である。図面では、支柱貫通孔Ｈが円形状に成型されたまま、本考案にかかる支柱用カバー式テーブルを四角柱状の支柱Ｐに設置した状態を示しているが、該支柱貫通孔Ｈの形状を支柱Ｐの外周形状に合わせて成型することも可能であって、その場合、支柱貫通孔Ｈにおいて支柱Ｐとテーブル２との隙間がなくなることとなる。
【図面の簡単な説明】
【００３２】
【図１】本考案にかかる支柱用カバー式テーブルの実施形態を示す斜視図である。
【図２】本考案にかかる支柱用カバー式テーブルを設置させる前段階を示す分解斜視図である。
【図３】本考案にかかる支柱用カバー式テーブルにおける各要素を取付ける構成を示す分解斜視図である。
【図４】本考案にかかる支柱用カバー式テーブルを実際に支柱Ｐに設置した状態の一例を示す説明図である。
【図５】本考案にかかる支柱用カバー式テーブルを実際に支柱Ｐに設置した状態における部分断面図である。
【図６】本考案にかかる支柱用カバー式テーブルを実際に支柱Ｐに設置した状態の他の例を示す説明図である。
【符号の説明】
【００３３】
１    支柱用カバー本体
１ａ  支柱用カバー本体
１ｂ  支柱用カバー本体
１ｃ  取付板
１ｄ  取付板
２    テーブル
２ａ  テーブル
２ｂ  テーブル
２ｃ  支柱固定具
３    落下防止柵
４    止め具
５    止め具
５ａ  止め具挿入孔
５ｂ  止め具挿入孔
６    脚部
６ａ  脚部取付孔
Ｄ    ディスプレイ
Ｆ    設置面
Ｈ    支柱貫通孔
Ｐ    支柱
【図１】
0003103828.tif 000003
【図２】
0003103828.tif 000004
【図３】
0003103828.tif 000005
【図４】
0003103828.tif 000006
【図５】
0003103828.tif 000007
【図６】
0003103828.tif 000008